(57)【特許請求の範囲】
【請求項１】
吸込口および吹出口を形成した樹脂製のフィルター枠と、このフィルター枠の吸込口側に設けられる針状の放電電極と、この針状の放電電極と対向し、前記フィルター枠の吹出口内に設けられる通風可能なアース電極と、このアース電極の風下側に設けられる樹脂フィルムにひだを設け、多数の通風路を形成したフィルターとを設けたフィルター装置と、このフィルター装置が装着されることにより前記針状の放電電極にマイナス極が接続され、前記アース電極にアースが接続されるように形成した高電圧印加装置とを備え、前記高電圧印加装置を介して前記フィルター装置を空気調和機等の空気流路に配設する構成とした電気集塵ユニット。
【請求項２】
吸込口に設けられる針状の放電電極を複数設けた導体を、正面側より被覆する断面略コの字状の導体被覆体を吸込口に一体的に設けた請求項１記載の電気集塵ユニット。
【請求項３】
吸込口に複数設けられる針状の放電電極の間に、奥部がアース電極に当接するリブ状で前記針状の放電電極の間を仕切るように設けられる仕切板を、導体被覆体より離して隙間を形成し、前記吸込口に一体的に設けた請求項２記載の電気集塵ユニット。
【請求項４】
アース電極の風下側に配設されるフィルターを支えるフィルター押さえをフィルター枠と別体に形成し、
前記フィルター押さえを前記フィルター枠に結合手段を介して開閉自在に結合し、
さらに前記フィルター押さえには、フィルター枠に係合してフィルター押さえ自身を支持する支持爪を設けたことを構成とした請求項１記載の電気集塵ユニット。
【請求項５】
フィルター押さえの両側に、フィルター押さえの閉鎖時にアース電極とフィルター枠間に挿入される邪魔板を設けた請求項４記載の電気集塵ユニット。
【請求項６】
ラスまたはパンチングメタル等の通風可能な板材の４周を金属板で囲みアース電極を構成した請求項１記載の電気集塵ユニット。
【請求項７】
アース電極に設けられる金属板に入口が狭く奥が円形の略杓子状の切欠孔を設けた取付部を複数突出して設け、フィルター枠の内面に前記取付部の切欠孔が係合するピンを設けた請求項６記載の電気集塵ユニット。
【請求項８】
針状の放電電極を形成する針状部が挿入される切起し孔を設けた取付片を導体に設け、前記切起し孔に挿入された針状部をかしめまたは溶接をして前記取付片に取り付ける構成とした請求項１記載の電気集塵ユニット。
【請求項９】
前記吸込口に設けられる針状の放電電極を複数設けた導体の反針状部側を覆う樹脂製のカバーを設け、吸込口に設けた導体被覆体に合致するように前記導体を樹脂製のカバーを介して前記吸込口に取り付ける構成とした請求項１記載の電気集塵ユニット。
【請求項１０】
フィルター装置が装着される装着部の片方側にマイナスの高電圧印加部およびアース接点部を設けた高電圧印加装置を備え、前記装着部の奥部側には、前記フィルター装置に設けたガイドピンが係合するガイド溝を設け、前方側には前記フィルター装置の装着時のガイドを兼ねる飛び出し防止片とを設け高電圧印加装置を形成した請求項１記載の電気集塵ユニット。
【請求項１１】
アース接点部をスプリングを介して弾性接触する略半球状の接点部により形成した請求項１０記載の電気集塵ユニット。
【請求項１２】
高電圧印加装置に装着されるフィルター装置を形成するフィルター枠の装着側角部に案内面を形成した請求項１記載の電気集塵ユニット。
【請求項１３】
フィルター装置および高電圧印加装置に夫々取手を設け、高電圧印加装置の装着部に前記フィルター装置を装着したときに、前記高電圧印加装置に設けた取手にフィルター装置に設けた取手が重合してロックされる構成とした請求項１記載の電気集塵ユニット。
【請求項１４】
高電圧印加装置に設けられたアース接点部に対向するフィルター装置に設けられるアース電極に、前記フィルター装置が前記高電圧印加装置に装着されたときに前記アース接点部が係合する係合凹部を設けた請求項１１記載の電気集塵ユニット。
【請求項１５】
高電圧印加装置の装着部に左右にフィルター装置の装着方向
にガイド片を設け、前記フィルター装置のフィルター枠に前記ガイド片を摺動挟持できるガイド溝を設けた請求項１記載の電気集塵ユニット。
【請求項１６】
針状の放電電極を形成する針状部をくの字状またはコの字状の２本の針状部により形成し、取付片に１箇所で固定する構成とした請求項１記載の電気集塵ユニット。
【請求項１７】
針状の放電電極を形成する針状部先端をアース電極側に突出させるように形成した請求項１記載の電気集塵ユニット。
【請求項１８】
針状の放電電極を形成する針状部に釣針に形成されているかえりを設けた請求項１記載の電気集塵ユニット。
【請求項１９】
吸込口および吹出口を形成した樹脂製のフィルター枠と、このフィルター枠の吸込口側に設けられる放電線と、この放電線と対向し、前記フィルター枠の吹出口内に設けられる通風可能なアース電極と、このアース電極の風下側に設けられる樹脂フィルムにひだを設け、多数の通風路を形成したフィルターとを設けたフィルター装置と、このフィルター装置が装着されることにより前記放電線にマイナス極が接続され、前記アース電極にアースが接続されるように形成した高電圧印加装置とを備え、前記高電圧印加装置を介して前記フィルター装置を空気調和機等の空気流路に配設する構成とした電気集塵ユニット。
【請求項２０】
フィルターに形成されている通風路がフィルターに向かい流れる風の流れに略平行となるように前記フィルターを配設する構成とした請求項１記載の電気集塵ユニット。
【発明の詳細な説明】
【０００１】
【発明の属する技術分野】
本発明は、空気調和機等の空気流路に設け、空気調和される空気中内に含まれる粉塵等を除去する電気集塵ユニットに関する。
【０００２】
【従来の技術】
近年、空気調和機の普及に伴い空気調和機により加熱または冷却される空気中に含まれている粉塵を集塵する電気集塵ユニットを設けることが普及してきている。
【０００３】
従来、この種の電気集塵ユニットの一例として図２７に示すものが知られている。以下、その構成について図２７を参照しながら説明する。
【０００４】
図に示すように、荷電部１０１は線状の放電電極１０２と荷電部側アース電極板１０３とからなり、荷電部１０１の通風方向下流側に設けられる集塵部１０４は、電圧印加電極板１０５と集塵部側アース電極板１０６とから形成され、荷電部１０１においては放電電極１０２と荷電部側アース電極板１０３の間に５〜１５ｋＶの電位差を持つように高圧安定化電源１０７を印加し、集塵部１０４の電圧印加電極板１０５と集塵部側アース電極板１０６の間に２〜６ｋＶの電圧差を持つように高圧安定化電源１０７を印加していた。
【０００５】
そして、荷電部１０１の放電電極１０２に高い電圧がかかり、放電電極１０２近傍に非常に強い電界が作られ、荷電部側アース電極板１０３との間に発生するコロナ放電により、空気中に含まれる粉塵が帯電し、帯電した粉塵が送風の流れに沿って集塵部１０４に導入され電圧印加電極板１０５と集塵部側アース電極板１０６との電界の力を受けて集塵部側アース電極板１０６に付着さして取り除いていた。
【０００６】
【発明が解決しようとする課題】
このような従来の電気集塵ユニットでは、粉塵を帯電する荷電電流が針状部で集中的に放電を行う場合と比較して大きく、消費電力が大きくなるとともに、人体に有害なオゾンの発生量が大きいという課題があり、消費電力およびオゾンの発生量を極力抑制することが要求されている。
【０００７】
また、荷電部１０１ではオゾンの発生量を抑えるために放電電極１０２にプラス電圧を印加するため人の気分をリラックスさせる効果のあるマイナスイオンを放出できないという課題があり、マイナスイオンを発生できるようにすることが要求されている。
【０００８】
また、荷電部１０１や集塵部１０４に平行極板を用いるため構造が複雑で部品点数も多く、ユニットの奥行寸法も大きくなり、空気調和機に装着するには不具合であるという課題があり、ユニットの構造の簡素化および奥行寸法を小さくすることが要求されている。
【０００９】
本発明は、このような従来の課題を解決するものであり、集塵に使用するエネルギーを低減するとともに、オゾン発生を抑制することができ、また、マイナスイオンを放出することができ、また、ユニットの構造の簡素化および奥行寸法を小さくすることができる電気集塵ユニットを提供することを目的としている。
【００１０】
【課題を解決するための手段】
本発明の電気集塵ユニットは上記目的を達成するために、吸込口および吹出口を形成した樹脂製のフィルター枠と、このフィルター枠の吸込口側に設けられる針状の放電電極と、この針状の放電電極と対向し、前記フィルター枠の吹出口内に設けられる通風可能なアース電極と、このアース電極の風下側に設けられる樹脂フィルムにひだを設け、多数の通風路を形成したフィルターとを設けたフィルター装置と、このフィルター装置が装着されることにより前記針状の放電電極にマイナス極が接続され、前記アース電極にアースが接続されるように形成した高電圧印加装置とを備え、前記高電圧印加装置を介して前記フィルター装置を空気調和機等の空気流路に配設する構成としたものである。
【００１１】
本発明によれば、集塵に使用するエネルギーを低減するとともに、オゾン発生を抑制することができ、また、マイナスイオンを放出することができ、また、ユニット構造の簡素化および奥行寸法を小さくすることができる電気集塵ユニットが得られる。
【００１２】
【発明の実施の形態】
本発明は、吸込口および吹出口を形成した樹脂製のフィルター枠と、このフィルター枠の吸込口側に設けられる針状の放電電極と、この針状の放電電極と対向し、前記フィルター枠の吹出口内に設けられる通風可能なアース電極と、このアース電極の風下側に設けられる樹脂フィルムにひだを設け、多数の通風路を形成したフィルターとを設けたフィルター装置と、このフィルター装置が装着されることにより前記針状の放電電極にマイナス極が接続され、前記アース電極にアースが接続されるように形成した高電圧印加装置とを備え、前記高電圧印加装置を介して前記フィルター装置を空気調和機等の空気流路に配設する構成としたものであり、針状の放電電極を使用することおよび、集塵部を樹脂フィルムにひだを設け、多数の通風路を形成したフィルターにより形成することによって集塵に使用するエネルギーを低減することができるとともに、放電電極にマイナスの高電圧が印加されることによりオゾンの発生の抑制および、マイナスイオンを発生することができ、また、針状の放電電極と通風可能なアース電極および、フィルターを使用することにより構造を簡単にすることができるとともに、ユニットの奥行寸法を小さくでき空気調和機への組み込みを容易にすることができるという作用を有する。
【００１３】
以下、本発明の実施例について図面を参照しながら説明する。
【００１４】
【実施例】
（実施例１）
図１〜図１４に示すように、吸込口１および吹出口２を形成した樹脂製のフィルター枠３の吸込口１側に針状の放電電極４を設け、放電電極４と対向しフィルター枠３の吹出口２内にラスまたはパンチングメタル等の通気可能なアース電極５を設け、アース電極５の風下側に樹脂フィルム６ａを連続的に折り曲げまたは、折畳み樹脂フィルム６ａにひだ６ｂを設け、多数の通風路６ｃを形成したフィルター６を設け、フィルター装置７を形成し、フィルター装置７が装着されることにより針状の放電電極４にマイナス極が接続され、アース電極５にアースが接続されるように高電圧印加装置８を形成する。
【００１５】
そして、吸込口１を格子状に組合わせたリブ９により形成し、吸込口１に設けられる針状の放電電極４の先端部近傍に対応するリブ９Ａの高さを他のリブ９の高さより低くして、針状の放電電極４の先端部に対応するリブ９Ａを、針状の放電電極４の先端部より遠ざけるように形成し、吸込口１に設けられる放電電極４を複数設けるステンレス製の長寸の導体１０を正面側より被覆する断面略コの字状の導体被覆体１１を吸込口１に一体的に設け、吸込口１に複数設けられる放電電極４の間に奥部が通気可能なアース電極５に当接するリブ状で針状の放電電極４の間を仕切る仕切板１２を導体被覆体１１より離して隙間１２ａを形成し、吸込口１と一体的に形成する。
【００１６】
また、アース電極の風下側に配設されるフィルター６の飛び出し落下するのを防ぐように設けられるフィルター押さえ１３をフィルター枠３と別体に形成し、フィルター押さえ１３の一辺の両端にフィルター枠３に設けたピン孔３ａに係合する支持ピン１３ａを設け、中央部にフィルター枠３の横リブ３ｂに回動自在に係合するアール状の支持片１３ｂを設けて結合手段１４を形成し、結合手段１４を介してフィルター押さえ１３をフィルター枠３に開閉自在に結合し、フィルター押さえ１３の閉鎖時にフィルター枠３に係合し支持される支持爪１３ｃを設けフィルター押さえ１３の両側にはフィルター押さえ１３の閉鎖時にアース電極５とフィルター枠３間に挿入される邪魔板１５を設ける。
【００１７】
また、アース電極５はラスまたはパンチングメタル等の通風可能な板材１６の４周を金属板１７で囲み形成し、金属板１７には入口が狭く奥部に円形孔を設けた杓子状の切欠孔１８を設けた取付部１９を４隅と中央部に設け、フィルター枠３の内面にアース電極５の取付部１９に設けた切欠孔１８が係合する頭部の大きいピン２０を設ける。
【００１８】
また、針状の放電電極４を形成する針状部４ａが挿入される切起し孔２１を切り起こしにより形成した取付片２２を導体１０に設け、切起し孔２１に挿入される針状部４ａを、切起し孔２１が縮少するようにかしめ、または溶接して取付片２２に取り付け、導体１０の反針状部側を覆う樹脂製のカバー２３を設け、吸込口１に設けた導体被覆体１１に合致するように導体１０を樹脂製のカバー２３を介して吸込口１に取付爪２４により取り付ける。
【００１９】
そして、フィルター装置７が装着される装着部２５の片方側にフィルター装置７に設けた導体１０およびアース電極５に電気的に接続されるマイナスの高電圧印加部２６および、アース接点部２７を設け、装着部２５の奥部側には、フィルター装置７に設けたガイドピン２８が係合する杓子状のガイド溝２９を設け、前方側にはフィルター装置７の装着時のガイドを兼ねる飛び出し防止片３０を設け、アース接点部２７をスプリング３１を介して弾性接触する略半球状の接点部３２を設けて高電圧印加装置８を形成する。
【００２０】
また、高電圧印加装置８に装着されるフィルター装置７を形成するフィルター枠３の装着側角部に傾斜した案内面３３および、高電圧印加装置８に設けた飛び出し防止片３０に係合するように、飛び出し防止片３０の厚み分だけ肉落しをした係合部３４を設け、高電圧印加装置８にフィルター装置７を装脱するための取手３５をフィルター枠３に設け、高電圧印加装置８を介してフィルター装置７を空気調和機等の空気流路に配設して構成する。
【００２１】
上記構成において、空気調和機（図示せず）等の空気流路に、高電圧印加装置８を介して取り付けたフィルター装置７に空気が流れると吸込口１に設けた針状の放電電極４に印加されているマイナスの高電圧とアース電極５により針状の放電電極４の附近に大きな電界が形成され、空気分子中の電子が分離したり、また、分離した電子が別の空気分子に結合するなどして空気分子がイオン化され空気イオンとなり、空気イオンが電界の力によって拡散し粉塵に付着して粉塵を帯電させ、帯電した粉塵粒子は粒子同志の緩衝を防ぎアース電極５の風下側に設けたフィルター６に吸着されて集塵される。
【００２２】
そして、集塵が進んだ後、吸着された粉塵を除去するときには、取手３５を介してフィルター装置７を高電圧印加装置８より引き出して取り外し、フィルター装置７を洗浄水で洗浄し粉塵を除去する。また、フィルター装置７に設けたフィルター６を交換するときは、フィルター押さえ１３を開いてフィルター６を交換する。
【００２３】
次に、フィルター装置７の洗浄または、フィルター６を交換したフィルター装置７を高電圧印加装置８に取り付けるときには、フィルター装置７のフィルター枠３に設けた案内面３３を用いて高電圧印加装置８の装着部２５にフィルター枠３を合致させ、合致させたフィルター枠３に設けたガイドピン２８を高電圧印加装置８に設けたガイド溝２９に係合し、ガイド溝２９に沿い上方に移動させるとフィルター枠３に設けた係合部３４が高電圧印加装置８に設けた飛び出し防止片３０の内面側に挿入され、フィルター枠３を介してフィルター装置７が高電圧印加装置８の装着部２５に装着され、フィルター装置７の導体１０およびアース電極５が高電圧印加部２６およびアース接点部２７に電気的に接続され使用できることとなる。
【００２４】
このように本発明の実施例１の電気集塵ユニットによれば、吸込口１および吹出口２を形成した樹脂製のフィルター枠３と、フィルター枠３の吸込口１側に設けられる針状の放電電極４と、放電電極４と対向しフィルター枠３の吹出口２内に設けられるラスまたはパンチングメタル等で形成される通風可能なアース電極５と、アース電極５の風下側に設けられる樹脂フィルム６ａにひだ６ｂを設け多数の通風路６ｃを形成したフィルター６とを設けたフィルター装置７と、フィルター装置７が装着されることにより針状の放電電極４にマイナス極が接続され、アース電極５にアースが接続されるように形成した高電圧印加装置８とを備え、高電圧印加装置８を介してフィルター装置７を空気調和機等の空気流路を配設したので、高電圧を印加する部分が針状の放電電極４側のみで良くなり電気エネルギーを低減することができるとともに、有害なオゾンの生成が抑制され、人体により優しい状態でマイナスイオンを同時に発生することにより人体に影響をもたらすことができ、また、針状の放電電極４より発生したイオンにより帯電した粉塵粒子は、粒子同志の緩衝を防ぎ、集塵効率が向上することができ、また、集塵側はフィルター６で形成されることによりユニットの奥行寸法が小さくなり、空気調和機に設けるのに適した電気集塵ユニットが得られる。
【００２５】
また、針状の放電電極４が設けられる吸込口１を格子状に組み合わせたリブ９およびリブ９Ａにより形成し、針状の放電電極４の先端部に対応するリブ９Ａを、針状の放電電極４の先端部より遠ざけるように形成したので、針状の放電電極４を形成する針状部４ａの保護ができ、安全性が確保できるとともに、吸込口１を流れる空気の圧損低下を緩和することができ、また、放電時の影響が緩和され、性能向上を図ることができる。
【００２６】
また、吸込口１に設けられる針状の放電電極４を複数設けた導体１０を、正面側より被覆する断面略コの字状の導体被覆体１１を吸込口１に一体的に設けたので導体１０の保護および安全性が高められる。
【００２７】
また、吸込口１に複数設けられる針状の放電電極４の間に奥部がアース電極５に当接するリブ状で、針状の放電電極４の間を仕切るように設けられる仕切板１２を、導体被覆体１１より離して隙間１２ａを形成し吸込口１に一体的に設けたので、針状の放電電極４同志の緩衝を防ぎ、アース電極に集塵するようになって性能向上を図ることができるとともに、隙間１２ａを設けることで延面距離が保たれほこり付着によるリークを防ぐことができ、また、アース電極５に当接させることで一定の距離を確保することができ性能の安定を図ることができる。
【００２８】
また、アース電極５の風下側に配設されるフィルター６を支えるフィルター押さえ１３をフィルター枠３と別体に形成し、フィルター押さえ１３に設けた支持ピン１３ａをフィルター枠３に設けたピン孔３ａに係合する結合手段１４を介してフィルター押さえ１３をフィルター枠３に開閉自在に結合し、フィルター押さえ１３の閉鎖時に支持爪１３ｃを介してフィルター枠３に支持されるので、フィルター枠３とフィルター押さえ１３を一体的に成形する場合と比較して成形時の金型が小形で成形も容易となるとともに、フィルター装置７を高電圧印加装置８より取り出すときにフィルター押さえ１３が開き、フィルター６が落下したりするのを防止することができる。
【００２９】
また、フィルター押さえ１３の両側に、フィルター押さえ１３の閉鎖時にアース電極５とフィルター枠３間に挿入される邪魔板１５を設けたので、延面距離がかせげ、フィルター枠３の内面に付着しようとするほこりの付着量を低減することができる。
【００３０】
また、ラスまたはパンチングメタル等の通風可能な板材１６の４周を金属板１７で囲みアース電極５を構成したので、板材１６全体がアース機能を持つこととなり集塵性能が向上する。
【００３１】
また、アース電極５に設けられる金属板１７に入口が狭く奥が円形の略杓子状の切欠孔１８を設けた取付部１９を複数突出して設け、フィルター枠３の内面に取付部１９の切欠孔１８が係合するピン２０を設けたので、ねじを用い取り付ける場合と比較して取付工数が削減されコストダウンを可能にするとともに、アース電極５のそりも無くすることができる。
【００３２】
また、針状の放電電極４を形成する針状部４ａが挿入される切起し孔２１を設けた取付片２２を導体１０に設け、切起し孔２１に挿入された針状部４ａをかしめまたは溶接をして前記取付片２２に取り付ける構成としたので、針状部４ａを確実に固定することができ、性能にばらつきの少ない針状の放電電極４が得られる。
【００３３】
また、導体１０の反針状部側を覆う樹脂製のカバー２３を設け、吸込口１に設けた導体被覆体１１に合致するように導体１０をカバー２３を介して吸込口１に取付爪２４により取り付ける構成としたので、針状部４ａのみ放電することができ集塵性能が向上するとともに、ねじを用いず針状の放電電極４を取り付けることができる。
【００３４】
また、フィルター装置が装着される装着部２５の片方側にマイナスの高電圧印加部２６および、アース接点部２７を設けた高電圧印加装置８を設け、装着部２５の奥部側にはフィルター装置７に設けたガイドピン２８が係合するガイド溝２９を設け、前方側には、フィルター装置７の装着時のガイドを兼ねる飛び出し防止片３０とを設け高電圧印加装置８を形成したので、高電圧印加装置８に取り付けるフィルター装置７の取り付けがスムーズで確実に取り付け保持することができる。
【００３５】
また、アース接点部２７をスプリング３１を介して弾性接触する略半球状の接点部３２により形成したので、電気的接続を確実に行うことができるとともに、フィルター装置７の保持に利用することができる。
【００３６】
また、高電圧印加装置８に装着されるフィルター装置７を形成するフィルター枠３の装着側角部に案内面３３を形成したので、高電圧印加装置８にフィルター装置７を装着するときの装着作業が容易となりスムーズに装着することができる。
【００３７】
（実施例２）
図１５および図１６に示すように、フィルター装置７Ａに設けた取手３５Ａに係合部３５ａを設け、高電圧印加装置８Ａに空気調和機（図示せず）に装着するための取手３６を設け、取手３６に取手３５Ａに設けた係合部３５ａに弾性係合してロックされるロック片３６ａを設けた構成とする。
【００３８】
上記構成において、高電圧印加装置８Ａにフィルター装置７Ａにロックするときには、高電圧印加装置８Ａの装着部２５にフィルター装置７Ａを装着し、高電圧印加装置８Ａの取手３６にフィルター装置７Ａの取手３５Ａを重合し、取手３６に設けたロック片３６ａにフィルター装置７Ａの取手３５Ａに設けた係合部３５ａを弾性係合してロックさせる。
【００３９】
このように本発明の実施例２の電気集塵ユニットによれば、フィルター装置７Ａおよび高電圧印加装置８Ａに夫々取手３５Ａおよび取手３６を設け、高電圧印加装置８Ａの装着部２５にフィルター装置７Ａを装着したときに、高電圧印加装置８Ａに設けた取手３６にフィルター装置７Ａに設けた取手３５Ａが重合してロックされるように高電圧印加装置８Ａの取手３６にロック片３６ａを設け、フィルター装置７Ａの取手３５Ａにロック片３６ａに係合する係合部３５ａを設けたので、高電圧印加装置８Ａの装着部２５に装着されるフィルター装置７Ａが取手３６と取手３５Ａが重合しロックされフィルター装置７Ａが高電圧印加装置８Ａから離脱し落下することがなく、取扱性が向上することとなる。
【００４０】
（実施例３）
図１７に示すように、高電圧印加装置８に設けられたアース接点部２７の接点部３２に対向するフィルター装置７Ｂに設けられるアース電極５Ａの金属板１７Ａに、フィルター装置７Ｂが高電圧印加装置８に装着されたときに、アース接点部２７の接点部３２が係合する係合凹部３７を設けた構成とする。
【００４１】
上記構成において、高電圧印加装置８にフィルター装置７Ｂを装着したときに高電圧印加装置８に設けたアース接点部２７の接点部３２がフィルター装置７Ｂに設けられたアース電極５Ａの金属板１７Ａの係合凹部３７に弾性係合してフィルター装置７Ｂが保持されることとなる。
【００４２】
このように本発明の実施例３の電気集塵ユニットによれば、高電圧印加装置８に設けられたアース接点部２７に対向するフィルター装置７Ｂに設けられるアース電極５Ａに、フィルター装置７Ｂが高電圧印加装置８に装着されたときに、アース接点部２７が係合する係合凹部３７を設けたので、高電圧印加装置８に装着されたフィルター装置７Ｂがアース接点部２７と係合凹部３７との係合により保持され、フィルター装置７Ｂがアース接点部２７と係合凹部３７との係合により保持され、フィルター装置７Ｂが簡単に抜け落ちることが防止される。
【００４３】
（実施例４）
図１８および図１９に示すように、高電圧印加装置８Ｂの装着部２５の左右にフィルター装置７Ｂの装着方向にガイド片３８を設け、フィルター装置７Ｂのフィルター枠３Ｂにガイド片３８を摺動挟持できる挟持溝３９を設け構成する。
【００４４】
上記構成において、高電圧印加装置８Ｂの装着部２５にフィルター装置７Ｂを装着するときに、高電圧印加装置８Ｂに設けたガイド片３８に、フィルター枠３Ｂに設けた挟持溝３９が係合してフィルター装置７Ｂが装着され、高電圧印加装置８Ｂに設けたガイド片３８がフィルター装置７Ｂに設けた挟持溝３９により挟持される。
【００４５】
このように本発明の実施例４の電気集塵ユニットによれば高電圧印加装置８Ｂの装着部２５の左右に、フィルター装置７Ｂの装着方向にガイド片３８を設け、フィルター装置７Ｂのフィルター枠３Ｂにガイド片３８を摺動挟持できる挟持溝３９を設けたので、高電圧印加装置８Ｂおよびフィルター装置７Ｂの左右への拡がりが抑制され、高電圧印加装置８Ｂからフィルター装置７Ｂが簡単に抜け落ちるのが防止できる。
【００４６】
（実施例５）
図２０に示すように、針状の放電電極４Ａを形成する針状部４ｂを略くの字状に形成し、２本の針状部４ｂを略Ｘ状となるように取付片２２Ａに１箇所で取り付ける。
【００４７】
また、図２１に示すように、針状の放電電極４Ｂを形成する針状部４ｃを略コの字状に形成し、２本の針状部４ｃを針状部４ｃの先端が外側に向くように取付片２２Ｂに１箇所で取り付ける。
【００４８】
上記構成において、針状の放電電極４Ａまたは針状の放電電極４Ｂは何れも針状部４ｂ、４ｃの先端が外方向に向いて先端部が４箇所となることにより放電電流を増加することができる。
【００４９】
このように本発明の実施例５の電気集塵ユニットによれば針状の放電電極４Ａまたは針状の放電電極４Ｂを形成する針状部４ｂまたは針状部４ｃをくの字状またはコの字状に形成し、取付片２２Ａまたは取付片２２Ｂに１箇所で固定する構成としたので、放電電流が増加し集塵性能の向上を図ることができ、また、印加する高電圧を下げて１本の針状部を用いた場合の電流に合わせることにより安全性を確保しながら高性能を得ることができるとともに、１箇所で取り付けることができる。
【００５０】
（実施例６）
図２２に示すように、針状の放電電極４Ｃの針状部４ｄの先端をアース電極５側に突出させるように形成し構成する。
【００５１】
上記構成において、針状の放電電極４Ｃの針状部４ｄの先端がアース電極５側に向くことにより針状部４ｄの先端がアース電極５に近づくこととなる。
【００５２】
このように本発明の実施例６の電気集塵ユニットによれば、針状の放電電極４Ｃを形成する針状部４ｄの先端をアース電極５側に突出させるように形成したので集中的に針状部４ｄの先端周辺の性能を上げることができる。
【００５３】
（実施例７）
図２３に示すように、針状の放電電極４Ｄを形成する針状部４ｅの先端を内側に向けて形成し構成する。
【００５４】
上記構成において、針状の放電電極４Ｄを形成する針状部４ｅの先端を内側に向けることにより、性能の向上を図れないが、針状部４ｅの先端に触れにくくなり安全となる。
【００５５】
このように本発明の実施例７の電気集塵ユニットによれば、針状の放電電極４Ｄを形成する針状部４ｅの先端を内側に向けて形成したので、安全性を高めることができる。
【００５６】
（実施例８）
図２４に示すように、針状の放電電極４Ｅを形成する針状部４ｆに釣針に形成されているかえり４０を設け構成する。
【００５７】
上記構成において、針状の放電電極４Ｅには針状部４ｆの先端とかえり４０の先端の２箇所の先端が形成され放電電流が増加されることとなる。
【００５８】
このように本発明の実施例８の電気集塵ユニットによれば、針状の放電電極４Ｅを形成する針状部４ｆに釣針に形成されているかえり４０を設けたので放電電流が増加し、集塵性能の向上を図ることができるとともに、かえり４０を形成する簡単な構造により対応することができる。
【００５９】
（実施例９）
図２５に示すように、放電電極４Ｉを放電線４２により形成し構成する。
【００６０】
上記構成において、針状部の代わりに放電線４２を使用することにより放電線４２の全体から放電することとなる。
【００６１】
このように本発明の実施例９の電気集塵ユニットによれば、放電電極４Ｉを放電線４２により形成したので、放電線４２全体から放電され集塵性能が向上するとともに、針状部と比較して安全性が高くなる。
【００６２】
（実施例１０）
図２６に示すように、フィルター６Ａに形成されている通風路６ｃが、フィルター６Ａに向かい流れる風の流れに略平行となるようにフィルター６Ａを配設する構成とする。
【００６３】
上記構成において、風の流れに対し、フィルター６Ａの通風路６ｃが平行状態でないときには、平行となるようにフィルター６Ａを傾けて対応させる。
【００６４】
このように本発明の実施例７の電気集塵ユニットによれば、フィルター６Ａに形成されている通風路６ｃがフィルター６Ａに向かい流れる風の流れに略平行となるようにフィルター６Ａを配設する構成としたので、電気集塵ユニットを空気調和機に装着したときに、空気調和機の空気流に対しフィルター６Ａの通風路６ｃが平行状態でない場合にはフィルター６Ａを傾けて通風路６ｃを平行状態にすることにより、フィルター６Ａの性能を最大限に上げることができる。
【００６５】
【発明の効果】
以上の実施例から明らかなように、本発明によれば吸込口および吹出口を形成した樹脂製のフィルター枠と、このフィルター枠の吸込口側に設けられる針状の放電電極と、この針状の放電電極と対向し前記フィルター枠の吹出口内に設けられる通風可能なアース電極と、このアース電極の風下側に設けられる樹脂フィルムにひだを設け、多数の通風路を形成したフィルターとを設けたフィルター装置と、このフィルター装置が装着されることにより前記針状の放電電極にマイナス極が接続され、前記アース電極にアースが接続されるように形成した高電圧印加装置とを備え、前記高電圧印加装置を介して前記フィルター装置を空気調和機等の空気流路に配設する構成としたので、電気エネルギーを低減することができ、また、有害なオゾンの生成を抑制することができるとともに、マイナスイオンを発生することができ、また、奥行寸法を小さくして機器への組み込みに適した電気集塵ユニットを提供できる。
【００６６】
また、針状の放電電極が設けられる吸込口を格子状に組み合わせたリブにより形成し、前記針状の放電電極の先端部に対応するリブを、前記針状の放電電極の先端部より遠ざけるように形成したので、針状部の保護の安全性が確保でき、また、放電時の影響が緩和され性能の向上を図ることができる。
【００６７】
また、吸込口に設けられる針状の放電電極を複数設けた導体を正面側より被覆する断面略コの字状の導体被覆体を吸込口に一体的に設けたので、導体の保護および安全性が高められる。
【００６８】
また、吸込口に複数設けられる針状の放電電極の間に奥部がアース電極に当接するリブ状で、前記針状の放電電極の間を仕切るように設けられる仕切板を、導体被覆体より離して隙間を形成し、前記吸込口に一体的に設けたので、針状の放電電極同志の緩衝を防ぎ、性能の向上を図ることができるとともに、ほこり付着によるリークを防ぐことができ、また、アース電極と一定の距離を確保することで、性能の安定を図ることができる。
【００６９】
また、アース電極の風下側に配設されるフィルターを支えるフィルター押さえをフィルター枠と別体に形成し、前記フィルター押さえを前記フィルター枠に結合手段を介して開閉自在に結合し、前記フィルター押さえの閉鎖時に前記フィルター枠に支持される構成としたので、成形時の金型が小形で成形も容易で、フィルターの落下を防止することができる。
【００７０】
また、フィルター押さえの両側に、フィルター押さえの閉鎖時にアース電極とフィルター枠間に挿入される邪魔板を設けたので、ほこりの付着量を低減することができる。
【００７１】
また、ラスまたはパンチングメタル等の通風可能な板材の４周を金属板で囲みアース電極を構成したので、集塵性能が向上する。
【００７２】
また、アース電極に設けられる金属板に、入口が狭く奥が円形の略杓子状の切欠孔を設けた取付部を複数突出して設け、フィルター枠の内面に前記取付部の切欠孔が係合するピンを設けたので、コストダウンおよびアース電極のそりを防止することができる。
【００７３】
また、針状の放電電極を形成する針状部が挿入される切起し孔を設けた取付片を導体に設け、前記切起し孔に挿入された針状部をかしめまたは溶接をして前記取付片に取り付ける構成としたので、針状部を確実に固定することができ、性能にばらつきの少ない針状の放電電極が得られる。
【００７４】
また、導体の反針状部側を覆う樹脂製のカバーを設け、吸込口に設けた導体被覆体に合致するように前記導体を樹脂製のカバーを介して前記吸込口に取り付ける構成としたので、集塵性能の向上を図ることができる。
【００７５】
また、フィルター装置が装着される装着部の片方側にマイナスの高電圧印加部およびアース接点部を設けた高電圧印加装置を備え、前記装着部の奥部側には、前記フィルター装置に設けたガイドピンが係合するガイド溝を設け、前方側には前記フィルター装置の装着時のガイドを兼ねる飛び出し防止片とを設け高電圧印加装置を形成したので、フィルター装置の取り付けをスムーズに行うことができるとともに、確実に取付、保持することができる。
【００７６】
また、アース接点部をスプリングを介して弾性接触する略半球状の接点部により形成したので、電気的接続を確実に行うことができる。
【００７７】
また、高電圧印加装置に装着されるフィルター装置を形成するフィルター枠の装着側角部に案内面を形成したので装着作業が容易となりスムーズに装着することができる。
【００７８】
また、フィルター装置および、高電圧印加装置に夫々取手を設け、高電圧印加装置の装着部に前記フィルター装置を装着したときに、前記高電圧印加装置に設けた取手にフィルター装置に設けた取手が重合してロックされる構成としたので、フィルター装置が落下するのが防止できる。
【００７９】
また、高電圧印加装置に設けられたアース接点部に対向するフィルター装置に設けられるアース電極に、前記フィルター装置が前記高電圧印加装置に装着されたときに、前記アーム接点部が係合する係合凹部を設けたので、アース接点部を利用してフィルター装置が簡単に抜け落ちるのが防止できる。
【００８０】
また、高電圧印加装置の装着部の左右に、フィルター装置の装着方向にガイド片を設け、前記フィルター装置のフィルター枠に前記ガイド片を摺動挟持できるガイド溝を設けたので、高電圧印加装置の左右への拡がりを抑制してフィルター装置の抜け落ちるのが防止できる。
【００８１】
また、針状の放電電極を形成する針状部をくの字状または、コの字状の２本の針状部により形成し、取付片に１箇所に固定する構成としたので、集塵性能の向上を図ることができるとともに、１箇所で取り付けることができる。
【００８２】
また、針状の放電電極を形成する針状部先端をアース電極側に突出させるように形成したので、性能の向上を図ることができる。
【００８３】
また、針状の放電電極を形成する先端を内側に向けて形成したので、安全性を高めることができる。
【００８４】
また、針状の放電電極を形成する針状部に釣針に形成されているかえりを設けたので、集塵性能の向上を図ることができる。
【００８５】
また、放電電極を放電線により形成したので、集塵性能を向上することができる。
【００８６】
また、フィルターに形成されている通風路がフィルターに向かい流れる風の流れに略平行となるように、前記フィルターを配設したので、フィルターの性能を最上限にあげることができる。
【図面の簡単な説明】
【図１】本発明の実施例１の電気集塵ユニットのフィルター装置の構成を示す断面図
【図２】同電気集塵ユニットのフィルター押さえの背面図
【図３】同電気集塵ユニットのフィルター枠の背面図
【図４】同電気集塵ユニットのフィルター枠にフィルター押さえを結合した状態を示す側面図
【図５】同電気集塵ユニットの邪魔板とフィルター枠の関係を示す概略図
【図６】同電気集塵ユニットのフィルターの構成を示す概略図
【図７】同電気集塵ユニットのアース電極の構成を示す斜視図
【図８】同電気集塵ユニットのアース電極の取付構成を示す断面図
【図９】同電気集塵ユニットの針状部の取付状態を示す正面図
【図１０】同電気集塵ユニットの取付片の構成を示す側面図
【図１１】同電気集塵ユニットの高電圧印加装置の正面図
【図１２】同電気集塵ユニットのアース接点部の構成を示す拡大図
【図１３】同電気集塵ユニットの高電圧印加装置のガイド近傍の概略図
【図１４】同電気集塵ユニットのフィルター枠の正面図
【図１５】本発明の実施例２の電気集塵ユニットの取手によるロック状態を示す断面図
【図１６】同電気集塵ユニットの高電圧印加装置の正面図
【図１７】本発明の実施例３の電気集塵ユニットにおけるアース接点部の係合状態を示す断面図
【図１８】本発明の実施例４の電気集塵ユニットにおけるガイド片を挟持している状態を示す断面図
【図１９】同電気集塵ユニットのフィルター枠の正面図
【図２０】本発明の実施例５の電気集塵ユニットにおける針状の放電電極の正面図
【図２１】同他の例の電気集塵ユニットにおける針状の放電電極の正面図
【図２２】本発明の実施例６の電気集塵ユニットにおける針状の放電電極の側面図
【図２３】本発明の実施例７の電気集塵ユニットにおける針状の放電電極の側面図
【図２４】本発明の実施例８の電気集塵ユニットにおける針状の放電電極の側面図
【図２５】本発明の実施例９の電気集塵ユニットにおける放電電極の正面図
【図２６】本発明の実施例１０の電気集塵ユニットのフィルターの状態を示す概略図
【図２７】従来の電気集塵ユニットの構成を示す概略図
【符号の説明】
１      吸込口
２      吹出口
３      フィルター枠
３Ａ    フィルター枠
３Ｂ    フィルター枠
４      針状の放電電極
４Ａ    針状の放電電極
４Ｂ    針状の放電電極
４Ｃ    針状の放電電極
４Ｄ    針状の放電電極
４Ｅ    針状の放電電極
４ａ    針状部
４ｂ    針状部
４ｃ    針状部
４ｄ    針状部
４ｅ    針状部
４ｆ    針状部
５      アース電極
５Ａ    アース電極
６      フィルター
６Ａ    フィルター
６ａ    樹脂フィルム
６ｂ    ひだ
６ｃ    通風路
７      フィルター装置
７Ａ    フィルター装置
７Ｂ    フィルター装置
８      高電圧印加装置
８Ａ    高電圧印加装置
９Ａ    リブ
１０    導体
１１    導体被覆体
１２    仕切板
１２ａ  隙間
１３    フィルター押さえ
１３Ａ  フィルター押さえ
１４    結合手段
１５    邪魔板
１６    板材
１７    金属板
１８    切欠孔
１９    取付部
２０    ピン
２１    切起し孔
２２    取付片
２２Ａ  取付片
２２Ｂ  取付片
２３    カバー
２５    装着部
２６    高電圧印加部
２７    アース接点部
２８    ガイドピン
２９    ガイド溝
３０    飛び出し防止片
３１    スプリング
３２    接点部
３３    案内面
３５Ａ  取手
３５ａ  係合部
３６    取手
３６ａ  ロック片
３７    係合凹部
３８    ガイド片
３９    挟持溝
４０    かえり
４１    放電電極
４２    放電線
【図１】
0003973859.tif 000002
【図２】
0003973859.tif 000003
【図３】
0003973859.tif 000004
【図４】
0003973859.tif 000005
【図５】
0003973859.tif 000006
【図６】
0003973859.tif 000007
【図７】
0003973859.tif 000008
【図８】
0003973859.tif 000009
【図９】
0003973859.tif 000010
【図１０】
0003973859.tif 000011
【図１１】
0003973859.tif 000012
【図１２】
0003973859.tif 000013
【図１３】
0003973859.tif 000014
【図１４】
0003973859.tif 000015
【図１５】
0003973859.tif 000016
【図１６】
0003973859.tif 000017
【図１７】
0003973859.tif 000018
【図１８】
0003973859.tif 000019
【図１９】
0003973859.tif 000020
【図２０】
0003973859.tif 000021
【図２１】
0003973859.tif 000022
【図２２】
0003973859.tif 000023
【図２３】
0003973859.tif 000024
【図２４】
0003973859.tif 000025
【図２５】
0003973859.tif 000026
【図２６】
0003973859.tif 000027
【図２７】
0003973859.tif 000028